(57)【要約】【課題】  遊技者の遊技レベルに応じた速度でメダル通過規制部材を動作させることができ、遊技の熟練者および未熟練者が共に遊技を楽しむことができるメダル遊技機を提供する。【解決手段】  メダルを蓄積可能な遊技面３Ａを有する遊技台３００と、遊技面３Ａ上にメダルＭを投入するためのメダル投入口１２４を有するメダル投入装置１２と、メダル投入装置１２の反メダル投入側に配設され、かつ遊技台３００の上方に動作可能に保持され、メダル通過口５２Ａ，５３Ａを有するメダル通過規制部材５２，５３とを備えたメダル遊技機１であって、メダル投入口１２４内に投入されたメダルＭの投入枚数に対するメダル通過口５２，５３におけるメダルの通過枚数の割合を示すメダル通過率に基づいてメダル通過規制部材５２，５３の動作速度を制御するコントローラ９１をさらに備える。【選択図】  図１４
2006223603.tif 000002
【特許請求の範囲】
【請求項１】
メダルを蓄積可能な遊技面を有する遊技台と、
前記遊技面上にメダルを投入するメダル投入口を有するメダル投入装置と、
前記遊技台の上方に動作可能に保持され、メダル通過口を有するメダル通過規制部材とを備えたメダル遊技機であって、
前記メダル投入口内に投入されたメダルの投入枚数に対する前記メダル通過口におけるメダルの通過枚数の割合を示すメダル通過率に基づいて前記メダル通過規制部材の動作を制御するコントローラをさらに備え、
前記コントローラは、予め設定された設定メダル通過率と前記メダル通過率とを比較判定し、この判定結果に基づいて前記メダル通過規制部材の動作を決定することを特徴とするメダル遊技機。
【請求項２】
前記メダル通過規制部材は、突出側であるメダル投入位置と後退側である収容位置とを往復移動する動作体からなり、
前記メダル通過規制部材の進退位置を検出するための位置検出センサをさらに備え、
前記コントローラは、前記位置検出センサによる検出結果に基づいて前記メダル通過規制部材の進退動作時間を算出し、この算出結果に基づいて前記メダル通過規制部材の進退動作を制御する請求項１に記載のメダル遊技機。
【請求項３】
前記コントローラは、前記メダル通過規制部材がメダル投入位置に最も接近する位置に配置された状態において前記メダルの投入が容易となるように進退動作を可変制御する請求項２に記載のメダル遊技機。
【請求項４】
前記メダル通過規制部材は、前記遊技面内で回転可能な動作体からなり、
前記コントローラは前記メダルの投入が容易となるように回転動作を可変制御する請求項１から３のいずれか１項に記載のメダル遊技機。
【発明の詳細な説明】
【技術分野】
【０００１】
本発明は、遊技者がメダルを投入することによって遊技を行うメダル遊技機に関し、特に、遊技者の遊技レベルに応じた速度でメダル通過規制部材を動作させることができ、もって遊技の熟練者および未熟練者が共に遊技を楽しむことができるメダル遊技機に関する。
【背景技術】
【０００２】
従来、メダルを用いる遊技機として、メダル落としゲーム機あるいはプッシャーゲーム機と呼ばれるメダル遊技機が知られている。これは、遊技面上をメダル押出装置が前後方向に（遊技者側と反遊技者側との間を）往復移動するように構成されている。
【０００３】
このようなメダル遊技機では、遊技者が遊技面上にメダルを投入（投降）すると、この投降されたメダルが遊技面上に蓄積される。そして、メダル押出装置が往復移動する間に遊技面上のメダルがメダル投入側に押し出されて遊技面上から落下し、払い戻しシュートを経て遊技者に払い戻される。
【０００４】
ところが、この種のメダル遊技機は、メダル押出装置の動作が前後方向の動作に限られるため、動作パターンが規則的になる。この結果、動作パターンが遊技者に読まれやすく、遊技性を欠くこととなっていた。
【０００５】
そこで、遊技性を高めるために、遊技面上に投入されるメダルが通過するメダル通過口を有する押出板と、メダル通過の障害となる回動板（メダル通過規制部材）からなる複数の羽根板とを備えたメダル遊技機が提案されている（例えば、特許文献１参照。）。
【０００６】
このようなメダル遊技機の遊技は、遊技者が押出板の前後動作と羽根板の回動動作のタイミングを見計らい、メダル通過口を通過するようにメダルを遊技面上に投入することにより行われる。ここで、投入したメダルが互いに隣り合う２つの羽根板間を通過すると、遊技者に有利な状態が発生する。例えば、遊技面の上方にメダル供給装置を配設し、メダル通過口におけるメダルの通過に伴ってメダル供給装置から遊技面上に所定枚数のメダルが供給される。この場合、押出板によって通常より多くのメダルが押し出されるので、これら多くのメダルが遊技面から落下して遊技者に払い戻される。
【特許文献１】特許第３１４３４４４号公報（[００３１]、図１）
【発明の開示】
【発明が解決しようとする課題】
【０００７】
しかし、特許文献１のメダル遊技機によると、遊技者が押出板の移動動作と羽根板の回動動作とのタイミングを計りつつメダルを遊技面上に投入しなければならないため、より多くのメダルを獲得する（メダルが払い戻される）にはある程度の技量を必要とし、遊技の熟練者にとっては遊技における満足感が得られるものの、その未熟練者にとっては感興が削がれてしまい、遊技への参加を拒むことになりかねないという問題がある。
【０００８】
そのため、遊技の熟練者および未熟練者が共に遊技を楽しむことができるように、遊技者の遊技レベルに応じた速度でメダル通過規制部材を動作させることができるメダル遊技機の出現が従来から要望されていた。
【０００９】
従って、本発明の目的は、遊技者の遊技レベルに応じた速度でメダル通過規制部材を動作させることができ、もって遊技の熟練者および未熟練者が共に遊技を楽しむことができるメダル遊技機を提供することにある。
【課題を解決するための手段】
【００１０】
本発明は、上記した目的を達成するために、メダルを蓄積可能な遊技面を有する遊技台と、前記遊技面上にメダルを投入するメダル投入口を有するメダル投入装置と、前記遊技台の上方に動作可能に保持され、メダル通過口を有するメダル通過規制部材とを備えたメダル遊技機であって、前記メダル投入口内に投入されたメダルの投入枚数に対する前記メダル通過口におけるメダルの通過枚数の割合を示すメダル通過率に基づいて前記メダル通過規制部材の動作を制御するコントローラをさらに備え、前記コントローラは、予め設定された設定メダル通過率と前記メダル通過率とを比較判定し、この判定結果に基づいて前記メダル通過規制部材の動作を決定することを特徴とするメダル遊技機を提供する。
【発明の効果】
【００１１】
本発明によれば、遊技者の遊技レベルに応じた速度でメダル通過規制部材を動作させることができ、遊技の熟練者および未熟練者が共に遊技を楽しむことができる。
【発明を実施するための最良の形態】
【００１２】
以下、本発明の実施の形態につき、図面に基づいて説明する。
【００１３】
（メダル遊技機の全体構成）
図１は、本発明の実施の形態に係るメダル遊技機の全体を示す正面図である。図２は、本発明の実施の形態に係るメダル遊技機の一部を示す側面図である。図１および図２において、符号１で示すメダル遊技機は、本体２およびゲーム実施機構３，３，…によって大略構成されている。
【００１４】
（本体２の構成）
本体２は、図１に示すように、基台部２Ａおよび本体部２Ｂを有している。基台部２Ａと本体部２Ｂとの間には、金属製のメダルＭを蓄積可能な遊技面３Ａを有する遊技台３００が配設されている。遊技台３００には、周方向に並列する６つのフィールド部３ａ，３ａ，…が設けられている。各フィールド部３ａ，３ａ，…上には、前後方向（メダル投入側面および反メダル投入側面）に開口する第１貫通窓１００Ａ（図２に示す）と、この第１貫通窓１００Ａの両側方に位置する２つの第２貫通窓（図示せず）と、これら各第２貫通窓の上方で遊技面３Ａ上にメダルＭを供給するためのメダル供給口１００Ｂ，１００Ｃとを有し、メダル投入側と反メダル投入側とを画成するような仕切部材１００が立設されている。フィールド部３ａ，３ａ，…の前端部には、メダルＭを払い戻すためのメダル払戻孔３Ｂ（図７に示す）がそれぞれ設けられている。フィールド部３ａ，３ａ，…の両側部には、メダルＭを回収するためのメダル回収孔３Ｃ，３Ｄ（図７に示す）がそれぞれ設けられている。
【００１５】
基台部２Ａは、図２に示すように、略円環状の基部材４と、基部材４に対向する底面板５と、この底面板５と基部材４との間に周方向に所定の間隔をもって並列する６本の脚部材６，６，…と、これら脚部材６，６，…のうち互いに隣り合う２つの脚部材６，６間に嵌め込まれた蓋部材７，７，…とを有し、全体が例えば鋼板等の金属材料からなる略六角形箱によって形成されている。そして、メダル遊技機１の座部材として機能し、本体部２Ｂおよびゲーム実施機構３，３，…を保持するように構成されている。基台部２Ａには、メダル払戻孔３Ｂ（図７に示す）に連通し、遊技者にメダルＭを払い戻す（払い出す）ためのメダル払戻口（受皿）８が外部に露呈して配設されている。基台部２Ａの上方端面縁部には、周方向に所定の間隔をもって並列する６本の支柱９，９，…が立設されている。基台部２Ａ内には、メダル回収孔３Ｃ，３Ｄに回収シュート１０１を介してメダル（図示せず）を回収するメダル回収箱１０２が配設されている。
【００１６】
一方、本体部２Ｂは、図２に示すように、６本の支柱９，９，…のうち互いに隣り合う２つの支柱９，９間にそれぞれ嵌め込まれたアクリル製の透明板１０，１０，…と、これら透明板１０，１０，…の上方端部に配設された貫通孔１１Ａ付きの金属製の天井板１１（図１に示す）とを有し、全体が略六角形箱によって形成されている。本体部２Ｂ内には、フィールド部３ａ，３ａ，…に対応し、周方向にアクリル製の透明板（図示せず）によって６分割されたフィールド空間２ｂ，２ｂ，…（図１に示す）が形成されている。本体部２Ｂには、各フィールド空間２ｂ，２ｂ，…（遊技面３Ａ）にメダルＭを投入可能なメダルシュート１２Ａ，１２Ａ，…を有する６対のメダル投入装置１２，１２，…(後述)が配設されている。各対のメダル投入装置１２，１２，…のメダルシュート１２Ａ，１２Ａ，…は、水平面および鉛直面内において所定の角度範囲内で回動し得るように構成されている。
【００１７】
（ゲーム実施機構３，３，…の構成）
図３は、本発明の実施の形態に係るメダル遊技機のメダル供給装置を説明するために示す正面図である。図４は、本発明の実施の形態に係るメダル遊技機のメダル供給装置を説明するために示す平面図である。図５は、本発明の実施の形態に係るメダル遊技機のメダル供給装置の固定箱開閉機構を説明するために示す斜視図である。図６は、本発明の実施の形態に係るメダル遊技機の回転反射体の回転駆動機構を説明するために示す斜視図である。図７は、本発明の実施の形態に係るメダル遊技機のゲーム実行部を説明するために示す平面図である。図８は、本発明の実施の形態に係るメダル遊技機のホルダ駆動機構およびホルダ進退位置検出装置を説明するために示す断面図であり、（ａ）は縦断面図、（ｂ）は横断面図である。図９は、本発明の実施の形態に係るメダル遊技機のメダル通過規制部材の回転駆動機構を説明するために示す平面図である。図１０は、本発明の実施の形態に係るメダル遊技機のメダル通過規制部材の回転駆動機構を説明するために示す断面図である。図１１は、本発明の実施の形態に係るメダル遊技機の制御回路を説明するために示すブロック図である。図１２は、本発明の実施の形態に係るメダル遊技機へのメダル投入について説明するために示す図であり、（ａ）は平面図、（ｂ）は正面図、（ｃ）は側面図である。
【００１８】
ゲーム実施機構３，３，…は各フィールド空間２ｂ，２ｂ，…にそれぞれ配置されている。ゲーム実施機構３，３，…は、図１に示すように、各フィールド空間２ｂ，２ｂ，…の遊技面３ＡにメダルＭを供給するためのメダル供給部２０と、メダルゲームを実行するためのゲーム実行部（ステーション）５０と、各フィールド空間２ｂ，２ｂ，…のメダルＭを回収するためのメダル回収部８０，８０，…と、メダル供給部２０、ゲーム実行部５０、およびメダル回収部８０，８０，…を駆動制御するコントロール部９０（図１１に示す）とから構成されている。
【００１９】
（メダル供給部２０の構成）
メダル供給部２０は、図１に示すように、メダル回収箱１０２内のメダルＭを汲み上げるための回転汲上円盤（図示せず）付きのホッパ２１，２１，…と、コントロール部９０によって駆動する第１メダル供給装置２２、第２メダル供給装置（図示せず）と、各ゲーム実行部５０のメダル供給樋３０，３０，…を変更するメダル供給路変更装置２５とを備え、本体２の装置収納部２００に配設されている。
【００２０】
ホッパ２１，２１，…は同一に構成されているため、一のホッパ２１の構成についてのみ説明すると、ホッパ２１は、図１に示すように、第１汲上樋２６および第２汲上樋２７に連通し、本体２内に配設されている。そして、回転汲上円盤の回転によって第１汲上樋２６および第２汲上樋２７にメダルＭを押し込むように構成されている。第１汲上樋２６は、仕切部材１００のメダル供給口１００Ｂ，１００Ｃに誘導パイプ（図示せず）を介して連通し、脚部材６および本体部２Ｂ内に配設されている。第２汲上樋２７は脚部材６および支柱９内に埋設されている。
【００２１】
第１メダル供給装置２２は、図３および図４に示すように、メダル収容固定箱２８および固定箱開閉機構２９を有し、天井板１１上の装置収納箱２００Ａ内に配設されている。メダル収容固定箱２８は、図３に示すように、メダルＭが滑落可能な凸状の底面台２８Ａおよび底面台２８Ａに対して昇降する有頭箱（半球）状の蓋体２８Ｂからなり、遊技面３Ａ（図１に示す）の上方に保持されている。そして、コントロール部９０の指令による固定箱開閉機構２９の駆動によって開閉するように構成されている。これにより、メダル収容固定箱２８が閉鎖されると、その内部にメダルＭを収容可能な状態となる。一方、メダル収容固定箱２８が開放されると、その内部に収容されたメダルＭが落下する。
【００２２】
底面台２８Ａは、図３に示すように、截頭円錐形状の第１底面部２８ａおよび第１底面部２８ａに連接する円錐形状の第２底面部２８ｂによって形成されている。底面台２８Ａの下方には、図１に示すように、仕切部材１００の反メダル投入側に位置する略漏斗状のメダル受板３１が配設されている。メダル受板３１は、平面略台形状の６枚の受板エレメント３１Ａ，３１Ａ，…を周方向に組み合わせてなり、全体が金属材料によって形成されている。そして、メダル収容固定箱２８から落下するメダルＭを受けて落下させるように構成されている。
【００２３】
蓋体２８Ｂは、図３に示すように、メダル収容固定箱２８の閉状態においてメダルＭを収容（貯留）可能な内部空間２８ｃを有し、この内部空間２８ｃに貯留するメダルＭをメダル収容固定箱２８の開放によって落下させる箱体からなり、固定箱開閉機構２９にメダル誘導用の円筒３２を介して連結されている。そして、全体がアクリル製の透明部材によって形成されている。円筒３２は、第２汲上樋２７（図１に示す）に誘導パイプ３３を介して連通し、天井板１１に軸受７０を介して昇降自在に挿通されている。誘導パイプ３３のメダル供給側には、第２汲上樋２７からのメダルＭを円筒３２に向かって送り出すと同時にパルス信号を出力するメダルカウンタ３４が配設されている。
【００２４】
固定箱開閉機構２９は、図３〜５に示すように、蓋体２８Ｂを昇降するための駆動モータ２９Ａと、この駆動モータ２９Ａの駆動によって回転するクランクアーム２９Ｂと、このクランクアーム２９Ｂの回転によって揺動（進退）する伝達リンク２９Ｃと、この伝達リンク２９Ｃの進退によって回動する保持リンク２９Ｄとを有し、天井板１１に第１ブラケット３５および第２ブラケット３６を介して保持されている。そして、駆動モータ２９Ａの駆動によるクランクアーム２９Ｂの回転によって伝達リンク２９Ｃを進退させ、これに伴い保持リンク２９Ｄを回動させて円筒３２を介して蓋体２８Ｂを昇降するように構成されている。これにより、蓋体２８Ｂが上昇すると、メダル収容固定箱２８が開放され、蓋体２８Ｂが下降すると、メダル収容固定箱２８が閉塞される。
【００２５】
駆動モータ２９Ａは、メダル投入側に突出するモータ軸２９ａを有し、第１ブラケット３５に取り付けられている。クランクアーム２９Ｂは、長孔からなるピン挿通孔２９ｂを有し、モータ軸２９ａに取り付けられている。伝達リンク２９Ｃは、ピン挿通孔２９ｂを挿通するピン２９ｃを有し、クランクアーム２９Ｂに揺動自在に連結されている。保持リンク２９Ｄは、円筒３２を保持する二股リンクからなり、伝達リンク２９Ｃに連結ピン３７を介して揺動自在に連結され、かつ第２ブラケット３６に枢支ピン３８を介して枢支されている。保持リンク２９Ｄの回動方向２位置は、センサ３９，４０によって検出される。
【００２６】
メダル供給路変更装置２５は、図１に示すように、共通筒４３（図１に示す）および駆動機構（図示せず）を有し、仕切部材１００の反メダル投入側に配設されている。共通筒４３は、メダル受板３１の下方に回転自在に配設されている、そして、メダル受板３１に常時連通し、メダルＭを貯留するように構成されている。また、コントロール部９０（図１１に示す）の指令による駆動機構の駆動によって回転するように構成されている。これにより、各フィールド部３ａのメダル供給口１００Ｂ，１００Ｃにメダル供給樋３０（誘導樋４４〜４６）を介して選択的に連通する。
【００２７】
（ゲーム実行部５０の構成）
ゲーム実行部５０は、図１に示すように、往復台からなるホルダ５１と、移動によってメダル通過口５２Ａ，５３Ａ（図７に示す）におけるメダルＭの通過を規制するチャッカーであるメダル通過規制部材５２，５３と、画像を表示するディスプレイ５４，５５と、ディスコミュージック等の楽曲を流すジュークボックス（図示せず）と、フィールド空間２ｂを装飾照明するための回転反射体５６とを備えている。
【００２８】
ホルダ５１は、図１０に示すように、遊技面３Ａ上に滑車５７を介して転動自在に配設され、かつ第１貫通窓１００Ａ（図２に示す）を挿通して仕切部材１００の反メダル投入側（フィールド部３ａの後方端部）に出没可能に収容されている。そして、ホルダ駆動機構５８（図７に示す）によって仕切部材１００のメダル投入側（フィールド部３ａの前方端部）と反メダル投入側との間をガイド５１Ａ，５１Ｂ（図７に示す）に沿って進退し、遊技面３Ａ上のメダルＭをメダル投入側に押し出すように構成されている。ホルダ５１の後方端部（仕切部材１００の反メダル投入側）には、左右方向に延在する長孔５１Ａ（図７および図８に示す）が設けられている。
【００２９】
ホルダ駆動機構５８は、図８（ａ）および（ｂ）に示すように、ホルダ５１をフィールド部３ａの前後方向に進退させるための駆動モータ５８Ａと、この駆動モータ５８Ａの駆動によって回転するクランクアーム５８Ｂとを有し、ホルダ５１の下方に配設されている。そして、駆動モータ５８Ａの駆動によるクランクアーム５８Ｂの回転によってホルダ５１をフィールド部３ａの前後方向に進退させるように構成されている。これにより、ホルダ５１がメダル投入側に進行すると、メダル通過規制部材５２，５３が仕切部材１００のメダル投入側に露出し、一方ホルダ５１が反メダル投入側に退避すると、メダル通過規制部材５２，５３が仕切部材１００の反メダル投入側に埋没する。駆動モータ５８Ａ（モータ軸５８ａ）の１回転によってホルダ５１がメダル投入位置側と反メダル投入位置側との間を１往復する。なお、駆動モータ５８Ａとしてステッピングモータや正逆転モータを用いても良く、そのことによってホルダ５１の往復速度を可変させたり、遊技者にとってメダルＭの投入が容易となる位置（例えば、遊技者側に最も突出した位置）で一時的に停止させるといったように制御しても良い。
【００３０】
駆動モータ５８Ａは、上方に突出するモータ軸５８ａを有し、遊技台３００（図１に示す）に取り付けられている。クランクアーム５８Ｂは、長孔５１Ａに挿通するピン５８ｂを有し、ホルダ５１の下方に配設され、かつモータ軸５８ａに連結されている。
【００３１】
一方のメダル通過規制部材５２は、図７および図９に示すように、ホルダ５１上の左右方向における一方向側に回転自在に保持されている。メダル通過規制部材５２には、放射方向に延在する複数（１２個）のメダル通過口（チャッカー）５２Ａ，５２Ａ，…が設けられている。メダル通過規制部材５２の下方端面における回転中心部には、回転駆動機構５９に連結する従動側歯車５２Ｂが配設されている。他方のメダル通過規制部材５３は、図７および図９に示すように、メダル通過規制部材５２の側方に配設され、かつホルダ５１上の左右方向における他方側側部に回転自在に保持されている。メダル通過規制部材５３には、放射方向に延在する複数（１２個）のメダル通過口（チャッカ−）５３Ａ，５３Ａ，…が設けられている。メダル通過規制部材５３の下方端面における回転中心部には、回転駆動機構５９に連結する従動側歯車５３Ｂが配設されている。メダル通過規制部材５２，５３は、回転駆動機構５９によって遊技面３Ａ内で回転するように構成されている。
【００３２】
回転駆動機構５９は、図９に示すように、メダル通過規制部材５２，５３を回転させるための駆動モータ６０と、この駆動モータ６０の駆動によって回転する駆動側歯車６１と、この駆動側歯車６１の駆動によって回転する共通歯車６２と、この共通歯車６２の回転によって回転する伝達歯車６３、伝達歯車列６４とを有し、ホルダ５１の下方に配設されている。そして、コントロール部９０（図１１に示す）によって駆動制御されるように構成されている。これにより、メダル通過規制部材５２，５３の回転速度を所定の速度に制御したり、調整（変更）したりすることが可能となる。また、メダル通過規制部材５２，５３を正転、逆転させたり、断続的に回転させたりすることが可能となる。なお、駆動モータ６０にステッピングモータや正逆転モータを用いて上記した正転、逆転、断続的回転、あるいは一時停止させるといった制御を行うようにしても良い。
【００３３】
駆動モータ６０は、図１０に示すように、下方に突出するモータ軸６０Ａを有し、ホルダ５１内に配設されている。駆動側歯車６１は、共通歯車６２（大歯車６２Ａ）に噛合し、モータ軸６０Ａに固着されている。共通歯車６２は、ホルダ５１内に保持され、駆動側歯車６１に噛合する大歯車６２Ａおよび伝達歯車６３に噛合する小歯車６２Ｂからなる段付き歯車によって形成されている。伝達歯車６３は、共通歯車６２の小歯車６２Ｂおよび従動側歯車５２Ｂに噛合し、ホルダ５１内に保持されている。伝達歯車列６４は、図９に示すように、２つの伝達歯車６４Ａ，６４Ｂからなり、ホルダ５１内に保持されている。伝達歯車６４Ａは、共通歯車６２の大歯車６２Ａに噛合する大歯車６４ａおよび伝達歯車６４Ｂに噛合する小歯車６４ｂからなる段付き歯車によって形成されている。伝達歯車６４Ｂは、伝達歯車６４Ａの小歯車６４ｂおよび従動側歯車５３Ｂに噛合し、伝達歯車６３に並設されている。
【００３４】
一方のディスプレイ５４は、図１に示すように、ビデオ表示領域又はリール表示領域となる表示画面を有する液晶表示装置からなり、ホルダ５１の上方に配設され、かつ仕切部材１００に保持されている。他方のディスプレイ５５は、図１に示すように、ビデオ表示領域となる表示画面を有する液晶表示装置からなり、ディスプレイ５４の上方に配設され、かつ仕切部材１００に保持されている。ディスプレイ５４，５５はコントロール部９０（図１１に示す）によって表示制御される。
【００３５】
回転反射体５６は、図３に示すように、蓋体２８Ｂの形状に適合し、かつ複数の反射鏡を組み合わせてなる半球状の中空回転反射体からなり、底面台２８Ａの下方端部に取り付けられている。そして、複数の照明装置（図示せず）から照明光を受け、回転駆動機構６６（図３および図４、図６に示す）によって回転するように構成されている。
【００３６】
回転駆動機構６６は、図３、図４、および図６に示すように、回転反射体５６を回転駆動するための駆動モータ６６Ａと、この駆動モータ６６Ａの駆動によって回転する駆動側プーリ６６Ｂと、この駆動側プーリ６６Ｂに対応する従動側プーリ６６Ｃと、この従動側プーリ６６Ｃに駆動側プーリ６６Ｂからの回転力を伝達する伝達ベルト６６Ｄとを有し、天井板１１に第３ブラケット６７を介して保持されている。
【００３７】
駆動モータ６６Ａは、上方に突出するモータ軸６６ａを有し、第３ブラケット６７に取り付けられている。駆動側プーリ６６Ｂはモータ軸６６ａに取り付けられている。従動側プーリ６６Ｃは、駆動側プーリ６６Ｂに並列し、底面台２８Ａに回転シャフト６８を介して連結されている。伝達ベルト６６Ｄは、ゴム製の無端ベルトからなり、駆動側プーリ６６Ｂと従動側プーリ６６Ｃとに掛け渡されている。回転シャフト６８は、第３ブラケット６７に軸受６９を介して回転自在に挿通されている。
【００３８】
（メダル回収部８０の構成）
メダル回収部８０は、図１および図２に示すように、ホッパ２１の近傍に位置するメダル回収箱１０２を備えている。メダル回収箱１０２は、基台部２Ａ内に配設され、メダル通過規制部材５２のメダル通過口５２Ａ，５２Ａ，…およびメダル通過規制部材５３のメダル通過口５３Ａ，５３Ａ，…を通過したメダルＭおよびメダル回収孔３Ｃ，３Ｄ（図７に示す）から落下したメダルＭを回収するように構成されている。
【００３９】
（コントロール部９０の構成）
コントロール部９０は、図１１に示すように、メダル供給部２０、ゲーム実行部５０、およびメダル回収部８０を駆動制御するコントローラ９１と、各種データ等を格納するメモリ９２とを備え、基台部２Ａ（図１および図２に示す）内に配設されている。
【００４０】
コントローラ９１は、タイマー（図示せず）を内蔵する制御ユニットからなり、メダル通過検出装置９３およびホルダ進退位置検出装置４００、メダル投入検出装置５００に接続され、メダル投入装置１２，１２，…のメダル投入口１２４（図１２に示す）内に投入されたメダルＭの投入枚数に対するメダル通過口５２Ａ，５２Ａ，…又はメダル通過口５３Ａ，５３Ａ…におけるメダルＭの通過枚数の割合を示すメダル通過率（チャッカー入賞率：通常遊技の熟練者は高く、その未熟練者は低い。）αに基づいてメダル通過規制部材５２，５３の動作（回転動作および進退動作のうち少なくとも一方の動作）速度を制御するように構成されている。メタル通過規制部材５２，５３の動作速度は、予め設定された設定メダル通過率βとメダル通過率αとを比較判定し、この判定結果に基づいて決定される。この場合、メダル通過率αが設定メダル通過率βより大きい（α＞β）と、メダル通過規制部材５２，５３の動作速度が通常の動作速度より速い速度に設定される。これにより、メダル通過規制部材５２，５３の動作速度が通常の動作速度より速くなり、メダル通過口５２Ａ，５２Ａ，…およびメダル通過口５３Ａ，５３Ａ，…にメダルＭを投入し難くなる。一方、メダル通過率αが設定メダル通過率βより小さい（α≦β）と、メダル通過規制部材５２，５３の動作速度が通常の動作速度より遅い速度に設定される。これにより、メダル通過規制部材５２，５３の動作速度が通常の動作速度より遅くなり、メダル通過口５２Ａ，５２Ａ，…およびメダル通過口５３Ａ，５３Ａ，…にメダルＭを投入し易くなる。
【００４１】
なお、本実施の形態においては、メダル通過規制部材５２，５３の進退動作制御は、ホルダ５１の進退動作を制御することにより行われるが、メダル通過規制部材５２，５３とホルダ５１は独立した駆動モータ６０、５８Ａによって駆動されるので、連動する構成に限定されず、それぞれが独立して動作するようにしても良い。
【００４２】
また、コントローラ９１は、ホルダ進退位置検出装置４００による検出結果に基づいてメダル通過規制部材５２，５３の進退動作時間を算出し、この算出結果に基づいてメダル通過規制部材５２，５３の進退動作を所定の進退位置で停止するように構成されている。
【００４３】
例えば、ホルダ駆動機構５８（駆動モータ５８Ａ）の駆動によってメダル投入位置から最も離間する収容位置にホルダ５１が退避し、この位置（切欠部４０１Ａ）をホルダ進退位置検出装置４００（光センサ４０２）が検出したとする。また、この検出から次の検出までに４秒掛かったとする。この場合、コントローラ９１は、内蔵するタイマーを参照して光センサ４０２が切欠部４０１Ａを検出してから約２秒後に駆動モータ５８Ａの回転動作を停止すれば、メダル投入位置に最も接近する位置でホルダ５１の進退動作が停止する。これにより、遊技者に最も接近する位置でメダル通過規制部材５２，５３の進退動作を停止できるため、メダル通過口５２Ａ，５２Ａ，…およびメダル通過口５３Ａ，５３Ａ，…にメダルＭを投入し易くなる。
【００４４】
ここで、メダル通過規制部材５２，５３の回転動作を停止してもよい。これにより、遊技者に最も接近する位置でメダル通過規制部材５２，５３がその進退、回転動作が停止するため、メダル通過口５２Ａ，５２Ａ，…およびメダル通過口５３Ａ，５３Ａ，…にメダルＭを一層投入し易くなる。
【００４５】
また、光センサ４０２が切欠部４０１Ａを検出してから約１秒後又は約３秒後に駆動モータ５８Ａの回転動作を停止すれば、メダル投入位置と反メダル投入位置との中間位置でホルダ５１の進退動作が停止される。
【００４６】
なお、メダル通過規制部材５２，５３の動作停止時間は、メダル通過率αと設定メダル通過率βとの差に応じて決定される。この場合、メダル通過率αと設定メダル通過率βとの差が大きい程、メダル通過規制部材５２，５３の動作停止時間が長い時間に設定される。一方、メダル通過率αと設定メダル通過率βとの差が小さい程、その動作停止時間が短い時間に設定される。
【００４７】
また、コントローラ９１によるホルダ進退動作時間の計測は毎回実行する。
本実施の形態では、後述する光センサで前回計測（保存）されたホルダ進退動作時間（推測動作時間）をＲＡＭ９２Ｂに格納し、この推測動作時間と新規に計測されたホルダ進退動作時間との平均時間をホルダ５１の往復動作毎に毎回算出し、新規の推測動作時間としてＲＡＭ９２Ｂに記録更新しており、この新規の推測動作時間に基づいてホルダ５１の停止位置を制御する。
【００４８】
メダル通過検出装置９３は、メダル通過規制部材５２のメダル通過口５２Ａ，…およびメダル通過規制部材５３のメダル通過口５３Ａ，５３Ａ，…を通過したメダルＭを検出し、この検出信号をコントローラ９１に出力するように構成されている。
【００４９】
ホルダ進退位置検出装置４００は、図８（ａ）および（ｂ）に示すように、検出対象としての切欠部４０１Ａを有する円板４０１と、切欠部４０１Ａを検出する光センサ（位置検出センサ）４０２とを備え、駆動モータ５８Ａとクランクアーム５８Ｂとの間に配設されている。そして、光センサ４０２による切欠部４０１Ａの検出によって駆動モータ５８Ａ（モータ軸５８ａ）の回転位置を検出し、この検出結果に基づいてホルダ５１の進退位置を検出するように構成されている。この検出信号がコントローラ９１に出力される。この光センサ４０２は、切欠部４０１Ａの第１の検出から第２の検出にかけての検出周期がホルダ５１の一往復周期と一致するように形成されている。
【００５０】
メダル投入検出装置５００は、図１２（ａ）および（ｃ）に示すように、レバー５０１およびスイッチセンサ５０２を備え、メダルカウンタ取付部１２１に取付ブラケット５０３を介して配設されている。そして、メダル投入口１２４に投入されたメダルＭを検出するように構成されている。
【００５１】
レバー５０１は、メダル通路１２０内に臨むローラ５０４を有し、取付ブラケット５０３の第２ブラケット５０３Ｂに枢支ピン５０６を介して回動可能に枢支されている。そして、一方向の回動による押圧によってマイクロスイッチ５０２をスイッチＯＮ状態とし、他方向の回動による押圧解除によってマイクロスイッチ５０２をスイッチＯＦＦ状態とするように構成されている。レバー５０１には、ローラ５０４によって復帰習性が付与されている。ローラ５０４は、レバー５０１の反スイッチ側端部に枢支ピン５０５を介して回転可能に保持されている。そして、メダル通路１２０内を転動するメダルＭから押圧力を受けて回転するとともに、レバー５０１には回動力として伝達するように構成されている。
【００５２】
マイクロスイッチ５０２は、第２ブラケット５０３Ｂに取り付けられている。そして、スイッチＯＮによるメダルＭの検出によって検出信号をコントローラ９１に出力するように構成されている。
【００５３】
取付ブラケット５０３は、第１ブラケット５０３Ａおよび第２ブラケット５０３Ｂを有している。第１ブラケット５０３Ａはメダルシュート１２Ａに固定されている。第２ブラケット５０３Ｂは第１ブラケット５０３Ａに移動（調整）自在に取り付けられている。これにより、メダルＭのサイズ（外径）に応じて第１ブラケット５０３Ａに対する第２ブラケット５０３Ｂの取付位置が調整される。
【００５４】
一方、メモリ９２は、コントローラ９１が実行する抽選プログラム等の各種プログラムや各種データベースを格納するＲＯＭ９２Ａと、コントローラ９１が実行するプログラムで用いる各種データを一時的に格納するＲＡＭ９２Ｂとを有し、コントローラ９１に接続されている。
【００５５】
（メダル投入装置１２の構成）
メダル投入装置１２は、図１２（ａ）から（ｃ）に示すように、メダル通路１２０を有するメダルシュート１２Ａと、メダル投入口１２４を有するメダル投入部１２Ｂとを備え、本体２（図１に示す）に支持部材１２Ｃを介して回動自在に保持されている。
【００５６】
メダルシュート１２Ａには、前述のメダル投入検出装置５００を取り付けるためのメダルカウンタ取付部１２１が配設されている。メダル通路１２０は、ステンレス等からなる複数の金属板を組み合わせることにより形成され、メダルＭを転動させてフィールド部３ａに投入（誘導）するように構成されている。
【００５７】
メダル投入部１２Ｂは、合成樹脂製の膨出形状部１２２と同じく合成樹脂製の背面部１２３とをビス（図示せず）によって組み付けてなり、本体２外に配設され、かつメダルシュート１２Ａに取り付けられている。メダル投入口１２４は、図１２（ｂ）に示すようにメダルＭの厚さより大きい開口サイズをもって形成されている。メダル投入口１２４（膨出形状部）内には、メダル通路１２０にメダルＭを円滑に誘導するように傾斜面１２５を有する部材が一体に形成されている。なお、傾斜面１２５を形成する部材は、メダルＭの投入や組み立てにおいて支障がなければ、膨出形状部１２２とは別の材料からなるものであってもよい。
【００５８】
このようなメダル投入装置１２において、メダル投入口１２４からメダルシュート１２Ａ内に投入されたメダルＭは、メダルシュート１２Ａのメダル通路１２０に沿って転動することによりフィールド部３ａに投入される。この場合、メダル投入口１２４の開口サイズが比較的大きい開口サイズであるため、図１２（ｃ）に示すように複数のメダルＭのメダル投入口１２４内への連続的な投入を可能にする。このことにより、メダルシュート１２Ａからフィールド部３ａにメダルＭが連続的に投入される。
【００５９】
（メダル遊技機１の動作）
遊技者のメダル投入によってメダルＭがメダル通過規制部材５２のメダル通過口５２Ａ，５２Ａ，…又はメダル通過規制部材５３のメダル通過口５３Ａ，５３Ａ，…を通過すると、メダル通過検出装置９３から検出信号がコントローラ９１に出力される。この検出信号を受けたコントローラ９１がＲＯＭ９２Ａ内の抽選プログラムを実行する。次に、コントローラ９１が抽選用の乱数を生成し、この抽選用の乱数に基づき、それぞれの当選役としての「当たり（大当たり，中当たり，小当たり）」と、この「当たり」の発生確率との対応関係を記述した当選確率テーブルに照らして「当たり」を決定する。この抽選においては、「当たり」が決定せず、「当たり」の外れる「外れ」が決定することもある。そして、コントローラ９１がその決定情報に基づいてディスプレイ５４に画像表示指令信号を出力する。
【００６０】
また、コントローラ９１が「当たり（大当たり，中当たり，小当たり）」を決定すると、その「当たり」に対応する制御信号をメダル供給部２０やゲーム実行部５０に出力する。
【００６１】
例えば、コントローラ９１が「大当たり」を決定すると、コントローラ９１から第１メダル供給装置２２およびメダル供給路変更装置２５に制御信号が出力される。この場合、第１メダル供給装置２２がコントローラ９１から制御信号を受けると、固定箱開閉機構２９の駆動による蓋体２８Ｂの上昇によってメダル収容固定箱２８が開放し、これに伴いメダル収容固定箱２８内のメダルＭがメダル受板３１に落下し、このメダル受板３１から共通筒４３内に収容される。また、メダル供給路変更装置２５がコントローラ９１から制御信号を受けると、駆動機構（図示せず）の駆動による共通筒４３の回転によって所定のステーションにおけるメダル供給樋３０（誘導樋４４〜４６）に連通する。このため、共通筒４３内のメダルＭが仕切部材１００にメダル供給樋３０を経てメダル供給口１００Ｂ，１００Ｃから遊技面３Ａに供給される。
【００６２】
また、コントローラ９１が「中当たり」を決定すると、コントローラ９１から第２メダル供給装置（図示せず）およびホルダ駆動機構５８、回転駆動機構５９に制御信号が出力される。この場合、第２メダル供給装置がコントローラ９１から制御信号を受けると、移動箱開閉機構（図示せず）の駆動によってメダル収容移動箱（図示せず）が開放し、これに伴いメダル収容移動箱内のメダルＭが遊技面３Ａ上に供給される。同時に、ホルダ駆動機構５８および回転駆動機構５９がコントローラ９１から制御信号を受けると、ホルダ駆動機構５８の駆動によってホルダ５１が仕切部材１００のメダル投入側に進行し、この進行位置で停止するとともに、回転駆動機構５９の停止によってメダル通過規制部材５２，５３が回転停止する。このため、メダル通過規制部材５２のメダル通過口５２ａ，５２ａ，…およびメダル通過規制部材５３のメダル通過口５３ａ，５３ａ，…に対して遊技者はメダルＭを投入し易くなる。
【００６３】
そして、コントローラ９１が「小当たり」を決定すると、コントローラ９１から第２メダル供給装置（図示せず）に制御信号が出力される。この場合、第２メダル供給装置がコントローラ９１から制御信号を受けると、「中当たり」の場合と同様に移動箱開閉機構（図示せず）の駆動によってメダル収容移動箱（図示せず）が開放し、これに伴いメダル収容移動箱内のメダルＭが遊技面３Ａ上に供給される。
【００６４】
なお、遊技者によるメダルＭの獲得は、遊技面３Ａ上のメダルＭがホルダ５１によってメダル払戻孔３Ｂに押し出された後、このメダル払戻孔３Ｂから下方に落下してメダル払戻口８に払い戻されることにより達成される。
【００６５】
一方、画像表示指令信号を受けたディスプレイ５４は、駆動によってその表示画面を３つのリール表示領域とし、これらリール表示領域に画像を所定の時間にわたり連続して移動させ後に停止画像を表示する。この場合、コントローラ９１によって「当たり」が決定していると、その画像表示指令に基づき「当たり」に係る組み合わせの図柄がディスプレイ５４の表示画面に表示される。また、コントローラ９１によって「外れ」が決定している場合には、その画像表示指令に基づき「当たり」に対応しない組み合わせの図柄がディスプレイ５４の表示画面に表示される。これにより、遊技者はディスプレイ５４の表示画面を見て、メダルＭがメダル通過規制部材５２，５２，…のメダル通過口５２Ａ，５２Ａ，…あるいはメダル通過規制部材５３，５３，のメダル通過口５３Ａ，５３Ａ，…を通過したことによる抽選結果を知ることができる。
【００６６】
〔メダル遊技機１のアシスト動作〕
図１３は、本発明の実施の形態に係るメダル遊技機のアシスト機能を説明するために示すフローチャートである。図１４は、本発明の実施の形態に係るメダル遊技機のアシスト動作を説明するために示すタイミングチャートである。以下に、メダル遊技機１のアシスト動作について、フローチャートおよびタイミングチャートを参照しつつ説明する。
【００６７】
遊技者が硬貨投入口（図示せず）内に硬貨を投入すると、硬貨投入口内の検出センサから検出信号がコントローラ９１に出力され、この検出信号をコントローラ９１が受けてメダル遊技機１の遊技が開始される（Ｓ１）。この場合、コントローラ９１が検出センサから検出信号を受けると、メダル払戻口８内に遊技用のメダルＭが払い出される。
【００６８】
遊技者がメダル投入口１２４内にメダルＭを投入する（Ｓ２）と、メダルＭがメダル投入検出装置５００を通過してスイッチセンサ５０１をスイッチＯＮ状態とした後、遊技面３Ａ上に投降される。この場合、メダル投入検出装置５００から検出信号がコントローラ９１に出力され、この検出信号を受けたコントローラ９１が信号数（メダル投入口１２４内に投入されたメダルＭの枚数）を算出する（Ｓ３）。
【００６９】
コントローラ９１はメダル通過検出装置９３からの検出信号（メダル通過）を待つ（Ｓ４）。この場合、メダルＭが遊技面３Ａ上を転動してメダル通過規制部材５２のメダル通過口５２Ａ，５２Ａ，…又はメダル通過規制部材５３のメダル通過口５３Ａ，５３Ａ，…を通過する（Ｓ４：ＹＥＳ）と、チャッカー入賞としてメダル通過検出装置９３から検出信号がコントローラ９１に出力される（Ｓ５）。この検出信号を受けたコントローラ９１はチャッカー入賞のカウント数をメダルＭの投入枚数で除算してメダルＭのチャッカー入賞率を演算する（Ｓ６）。また、ステップＳ４において、メダルＭがメダル通過規制部材５２のメダル通過口５２Ａ，５２Ａ，…又はメダル通過規制部材５３のメダル通過口５３Ａ，５３Ａ，…を通過しない（Ｓ４：ＮＯ）場合にはＳ２に戻る。
【００７０】
コントローラ９１は、算出されたチャッカー入賞率の判定を行う（Ｓ７）。ここで、予め設定されてＲＡＭ９２Ｂに格納された入賞率との比較に基づいて、算出されたチャッカー入賞率との差が所定範囲にある場合には、アシスト動作を行わないものとする（Ｓ８）。また、算出されたチャッカー入賞率が予め設定された入賞率より高い場合には、ホルダ５１の往復動作を高速化してゲームの難易度を上げる（Ｓ９）。また、算出されたチャッカー入賞率が予め設定された入賞率より低い場合には、図１４に示すようにホルダ５１の往復動作を低速化してゲームの難易度を下げる（Ｓ１０）。なお、ゲームの難易度の調整は、上記したホルダ５１の往復動作に限定されず、メダル通過規制部材５２、５３の回転速度について行っても良く、また、図１４に示すようにホルダ５１とメダル通過規制部材５２、５３の連動に基づいて行っても良い。
【００７１】
（発明の実施の形態の効果）
上記した実施の形態によると、以下の効果が得られる。
（１）メダル通過規制部材５２，５３の動作速度がメダル通過率（チャッカー入賞率）αに基づいて決定されるため、遊技者の遊技レベルに応じた速度でメダル通過規制部材５２，５３を動作させることができる。これにより、遊技者は遊技レベルに応じた技量でメダル通過口５２Ａ，５２Ａ，…およびメダル通過口５３Ａ，５３Ａ，…にメダルＭを投入することができ、このため遊技の熟練者にあっては満足感が得られ、一方遊技の未熟練者にあっては感興が削がれてしまうことがなくなり、熟練者および未熟練者が共に遊技を楽しむことができる。
【００７２】
（２）メダル通過規制部材５２，５３の動作速度が設定メダル通過率βとメダル通過率αとの比較判定結果に基づいて決定される。この場合、メダル通過率αが設定通過率βより大きいと、メダル通過規制部材５２，５３の動作速度が通常の動作速度より速い速度に設定される。これにより、メダル通過規制部材５２，５３の動作速度が通常の動作速度より速くなり、メダル通過口５２Ａ，５２Ａ，…およびメダル通過口５３Ａ，５３Ａ，…にメダルＭを投入し難くなる。一方、メダル通過率αが設定通過率βより小さいと、メダル通過規制部材５２，５３の動作速度が通常の動作速度より遅い速度に設定される。これにより、メダル通過規制部材５２，５３の動作速度が通常の動作速度より遅くなり、メダル通過口５２Ａ，５２Ａ，…およびメダル通過口５３Ａ，５３Ａ，…にメダルＭを投入し易くなる。
【００７３】
（３）単一の位置検出センサを用いてメダル通過規制部材５２，５３の進退動作を所定の進退位置で停止することができるため、制御系が複雑にならず、コストの低廉化を図ることができる。一方、細かく制御をする為にステッピングモータ等を設けても良い。
【００７４】
（４）遊技者に最も接近する位置にメダル通過規制部材５２，５３が進行し、この位置でその進退速度を停止するため、メダル通過口５２Ａ，５２Ａ，…およびメダル通過口５３Ａ，５３Ａ，…にメダルＭを投入し易くなる。
【００７５】
（５）メダル通過規制部材５２，５３の回転速度を停止するため、メダル通過口５２Ａ，５２Ａ，…およびメダル通過口５３Ａ，５３Ａ，…にメダルＭを投入し易くなる。この場合、遊技者に最も接近する位置でメダル通過規制部材５２，５３の進退速度も停止すると、メダル通過口５２Ａ，５２Ａ，…およびメダル通過口５３Ａ，５３Ａ，…にメダルＭを一層投入し易くなる。
【００７６】
なお、上記した実施の形態では、個体のフィールド部３ｂにおけるメダルＭの入賞率を算定しているが、すべてのフィールド部３ｂの入賞率をコントローラ９１で監視して個体のフィールド部３ｂに対するアシスト動作を制御するようにしても良く、この場合には、ホルダ５１、メダル通過規制部材５２，５３の制御パターンを多様化させることができるとともに、メダルＭのペイアウト調整を任意に行うことが可能になる。
【図面の簡単な説明】
【００７７】
【図１】本発明の実施の形態に係るメダル遊技機の全体を示す正面図。
【図２】本発明の実施の形態に係るメダル遊技機の一部を示す側面図。
【図３】本発明の実施の形態に係るメダル遊技機のメダル供給装置を説明するために示す正面図。
【図４】本発明の実施の形態に係るメダル遊技機のメダル供給装置を説明するために示す平面図。
【図５】本発明の実施の形態に係るメダル遊技機のメダル供給装置の固定箱開閉機構を説明するために示す斜視図。
【図６】本発明の実施の形態に係るメダル遊技機の回転反射体の回転駆動機構を説明するために示す斜視図。
【図７】本発明の実施の形態に係るメダル遊技機のゲーム実行部を説明するために示す平面図。
【図８】本発明の実施の形態に係るメダル遊技機のホルダ駆動機構およびホルダ進退位置検出装置を説明するために示す断面図。
【図９】本発明の実施の形態に係るメダル遊技機のメダル通過規制部材の回転駆動機構を説明するために示す平面図。
【図１０】本発明の実施の形態に係るメダル遊技機のメダル通過規制部材の回転駆動機構を説明するために示す断面図。
【図１１】本発明の実施の形態に係るメダル遊技機の制御回路を説明するために示すブロック図。
【図１２】本発明の実施の形態に係るメダル遊技機へのメダル投入について説明するために示す図。
【図１３】本発明の実施の形態に係るメダル遊技機のアシスト機能を説明するために示すフローチャート。
【図１４】本発明の実施の形態に係るメダル遊技機のアシスト動作を説明するために示すタイミングチャート。
【符号の説明】
【００７８】
１…メダル遊技機、２…本体、２Ａ…基台部、２Ｂ…本体部、２ｂ…フィールド空間、３ゲーム実施機構、３Ａ…遊技面、３ａ…フィールド部、３Ｂ…メダル払戻孔、３Ｃ，３Ｄ…メダル回収孔、４…基部材、５…底面板、６…基部材、７…蓋部材、８…メダル払戻口、９…支柱、１０…透明板、１１…天井板、１１Ａ…貫通孔、１２…メダル投入装置、１２Ａ…メダルシュート、１２Ｂ…メダル投入部、１２Ｃ…支持部材、２０…メダル供給部、２１…ホッパ、２２…第１メダル供給装置、２５…メダル供給路変更装置、２６…第１汲上樋、２７…第２汲上樋、２８…メダル収容固定箱、２８Ａ…底面台、２８ａ…第１底面、２９ｂ…第２底面、２８Ｂ…蓋体、２８ｃ…内部空間、２９…固定箱開閉機構、２９Ａ…駆動モータ、２９ａ…モータ軸、２９Ｂ…クランクアーム、２９ｂ…ピン挿通孔、２９Ｃ…伝達リンク、２９Ｄ…保持リンク、２９ｃ…ピン、３０…メダル供給樋、３１…メダル受板、３１Ａ…受板エレメント、３２…円筒、３３…誘導パイプ、３４…メダルカウンタ、３５…第１ブラケット、３６…第２ブラケット、３７…連結ピン、３８…枢支ピン、３９，４０…センサ、４３…共通箱、４４〜４６…誘導樋、５０…ゲーム実行部、５１…ホルダ、５１Ａ…長孔、５２…メダル通過規制部材、５２Ａ…メダル通過口、５２Ｂ…従動側歯車、５３…メダル通過規制部材、５３Ａ…メダル通過口、５３Ｂ…従動側歯車、５４，５５…ディスプレイ、５６…回転反射体、５７…滑車、５８…ホルダ駆動機構、５８Ａ…駆動モータ、５８ａ…モータ軸、５８Ｂ…クランクアーム、５８ｂ…ピン、５９…回転駆動機構、６０…駆動モータ、６０Ａ…モータ軸、６１駆動側歯車、６２…共通歯車、６３…伝達歯車、６４…伝達歯車列、６４Ａ，６４Ｂ…伝達歯車、６５…照明装置、６６…回転駆動機構、６６Ａ…駆動モータ、６６ａ…モータ軸、６６Ｂ…駆動側プーリ、６６Ｃ…従動側プーリ、６６Ｄ…伝達ベルト、６７…第３ブラケット、６８…回転シャフト、６９，７０…軸受、８０…メダル回収部、９０…コントロール部、９１…コントローラ、９２…メモリ、９２Ａ…ＲＯＭ、９２Ｂ…ＲＡＭ、９３…メダル通過検出装置、１００…仕切部材、１００Ａ…第１貫通窓、１００Ｂ，１００Ｃ…メダル供給口、１０１…回収シュート、１０２…メダル回収箱、１２０…メダル通路、１２１…メダルカウンタ取付部、１２２…膨出形状部、１２３…背面部、１２４…メダル投入口、１２５…傾斜面、Ｍ…メダル、３００…遊技台、４００…ホルダ進退位置検出装置、４０１…円板、４０１Ａ…切欠部、４０２…光センサ、４０２Ａ…発光素子、４０２Ｂ…受光素子、５００…メダル投入検出装置、５０１…レバー、５０２…スイッチセンサ、５０３…取付ブラケット、５０３Ａ…第１ブラケット、５０３Ｂ…第２ブラケット、５０４…ローラ、５０５…枢支ピン、５０６…枢支ピン
【図１】
2006223603.tif 000003
【図２】
2006223603.tif 000004
【図３】
2006223603.tif 000005
【図４】
2006223603.tif 000006
【図５】
2006223603.tif 000007
【図６】
2006223603.tif 000008
【図７】
2006223603.tif 000009
【図８】
2006223603.tif 000010
【図９】
2006223603.tif 000011
【図１０】
2006223603.tif 000012
【図１１】
2006223603.tif 000013
【図１２】
2006223603.tif 000014
【図１３】
2006223603.tif 000015
【図１４】
2006223603.tif 000016